Podtech/llm-jp-corpus-v4-ja_patent huggingface dataset:
(57)【要約】  【課題】   光電素子が担持された基板の装着性を向上させること。  【解決手段】  本体に化粧パネルが冠着され、前記本体と前記化粧パネルの間に光電素子が担持された基板が装着された、温水洗浄便座装置のケースにおいて、前記本体の所定の部位を片持ち梁状に形成し、前記部位と前記化粧パネルとの間に前記基板を挟着した、温水洗浄便座装置のケース。【選択図】  図３
2006249810.tif 000002
【特許請求の範囲】
【請求項１】
本体に化粧パネルが冠着され、前記本体と前記化粧パネルの間に光電素子が担持された基板が装着された、温水洗浄便座装置のケースにおいて、前記本体の所定の部位を片持ち梁状に形成し、前記部位と前記化粧パネルとの間に前記基板を挟着した、温水洗浄便座装置のケース。
【請求項２】
本体の穴に化粧パネルから延出する爪が挿入され、前記爪が前記穴の周辺部裏面の一方側に係合して前記化粧パネルが前記本体の表面に装着される温水洗浄便座装置のケースにおいて、前記化粧パネルから延出して前記穴の内周面の他方側に係合可能な突起を設けた、温水洗浄便座装置のケース。
【発明の詳細な説明】
【技術分野】
【０００１】
本発明は、温水洗浄便座装置のケースに関する。
【背景技術】
【０００２】
周知のように、温水洗浄便座においては、便器の後部上側に固定されたケース内に制御機構、電磁弁機構、温水タンク及びノズルを設け、前記制御機構により、前記電磁弁を介して前記温水タンク内に水圧が供給されると共に前記ノズルが前記便器内部の所定の位置（噴射位置）まで伸長され、前記水圧により前記温水タンクから押し出された温水が前記ノズルから噴射されるようになっている。
【０００３】
しかして、例えば、特許文献１に示されるように、温水洗浄便座装置によっては、ケースの本体に化粧パネルが連結され、前記本体と前記化粧パネルの間に光電素子が担持された基板が装着されたものがある。
【特許文献１】特開２００３−１０５８３３号公報
【発明の開示】
【発明が解決しようとする課題】
【０００４】
特許文献１に開示される温水洗浄便座装置においては、ケースの本体と化粧パネルの間に光電素子が担持された基板が装着されることにより、化粧パネルがケースの外観にアクセントを与え、温水洗浄便座装置全体の意匠性を向上させる。しかし、かような計り知れないメリットがある反面、光電素子が担持された基板は、便器の表面に固定される必要があり、装着の面での煩瑣は避けられない。
【０００５】
それ故に、本発明は、かような要請に応えることが出来る、温水洗浄便座装置のケースを提供することを、その技術的課題とする。
【課題を解決するための手段】
【０００６】
上記の課題を解決するために講じた第１の技術的手段は、請求項１に記載のように、
「本体に化粧パネルが冠着され、前記本体と前記化粧パネルの間に光電素子が担持された基板が装着された、温水洗浄便座装置のケースにおいて、前記本体の所定の部位を片持ち梁状に形成し、前記部位と前記化粧パネルとの間に前記基板を挟着した、温水洗浄便座装置のケース。」
を構成したことである。
【発明の効果】
【０００７】
請求項１で定義される本発明に係る温水洗浄便座装置のケースにおいては、本体の所定の部位を片持ち梁状に形成することにより、この部位に上向きの弾性を付与することが出来、この弾性を持つ片持ち梁状の部位をして光電素子が担持された基板を位置せしめれば、片持ち梁状の部位と化粧パネルとの間に基板が挟着されることにより、簡易に、光電素子が担持された基板を、装着できる。
【発明を実施するための最良の形態】
【０００８】
以下、本発明の実施形態の例について、図面に基づいて説明する。
【０００９】
図１に示すように、温水洗浄便座装置のケース１０は、本体１２を備え、この本体１２は便座１８を回動可能に保持する。本体１２は、便器（図示略）の後部据付部上に設置され、内部に、洗浄機構（図示略）等が収容される。
【００１０】
洗浄機構のリモコン操作のためのＬＥＤその他の光電素子２０は、基板２２に担持される。この基板２２は、図２に示されるように、本体１２と本体１２に冠着された化粧パネル３０との間に挟着される。
【００１１】
すなわち、本体１２の所定の部位１４は、平面的に見て、コ状に切り込まれ、この部位１４は、図３に示されるように、弾性を持つ片持ち梁状に形成される。この部位１４の根元を少し下方に折り込んで部位１４と化粧パネル３０との間に空間４０を画成し、この空間４０を介して、光電素子２０を担持する基板２２を、本体１２の所定の部位１４と化粧パネル３０との間に位置せしめ、しかる後に、片持ち梁状の部位１４への折り曲げ力を解除すると、片持ち梁状の部位１４は、図３でみて時計方向に回動して、図２に示すように、化粧パネル３０と協同して、光電素子２０を担持する基板２２を挟持する。このとき、光電素子２０は、化粧パネル３０の穴３２内に位置して、挟着の影響を受けないようになっている。尚、穴３２は、図示されない透明フィルムによりカバーされる。
【００１２】
化粧パネル３０の他の部位の本体１２への冠着は、図４に示すようにしてなされる。すなわち、化粧パネル３０の側面部の下端部が本体１２の側面と凹凸嵌合している状態で、化粧パネル３０から延出する爪３４が、本体１２の穴１２Ｈに挿入され、爪３４が穴１２Ｈの周辺部裏面の一方側に係合している。化粧パネル３０からは、また、突起３６が延出して穴１２Ｈの内周面の他方側に係合可能となっている。かような構成においては、化粧パネル３０が少しだけ右方向にずれても、突起３６が穴１２Ｈの内周面の他方側に係合し、化粧パネル３０から延出する爪３４と穴１２Ｈの周辺部裏面１６の一方側との係合が解除されないよにしている。かくして、化粧パネル３０の他の部位の本体１２への冠着は、堅牢なものとなる。
【図面の簡単な説明】
【００１３】
【図１】本発明に係る温水洗浄便座装置のケースの平面図。
【図２】光電素子が担持された基板の挟着状態を示す説明図。
【図３】光電素子が担持された基板を挟着する過程の説明図。
【図４】化粧パネルのケース本体への冠着状態を説明する図。
【符号の説明】
【００１４】
１０：ケース、１２：本体、１２Ｈ：穴、１４：部位、１８：便座、２０：光電素子、２２：基板、３０：化粧パネル、穴：３２、３４：爪、３６：突起。
【図１】
2006249810.tif 000003
【図２】
2006249810.tif 000004
【図３】
2006249810.tif 000005
【図４】
2006249810.tif 000006
(57)【要約】【課題】保護シートは肉厚が均一であるためあまり厚手に形成することがコストの点よりできず、従がって衝撃荷重に弱い欠点と、現場で施工時に切断罫書き線を入れるのに面倒である欠点があった。かかる欠点を解消した保護シートを提供することをその課題とする。【解決手段】本発明の保護シートは、パネル表面に着脱自在に取り付けられそのパネル表面を保護する保護シートにおいて、格子状の突条を一体的に設けたことを特徴とする。又、上記格子状の突条に寸法メモリを印字した保護シートとすることが好ましい。【選択図】図１
2006249844.tif 000002
【特許請求の範囲】
【請求項１】
パネル表面に着脱自在に取り付けられそのパネル表面を保護する保護シートにおいて、パネルとともに切断可能であり、かつ格子状の突条を一体的に設けたことを特徴とする保護シート。
【請求項２】
上記格子状の突条に寸法メモリを印字したことを特徴とする請求項１記載の保護シート。
【発明の詳細な説明】
【技術分野】
【０００１】
本発明は建築用のパネル表面に着脱自在に取り付けられそのパネル表面を保護する保護シートに関する。さらに詳しくは、壁パネル等の塗装表面の運搬中に発生する傷を防止するために塗装表面を保護する養生シートを代表とする保護シートに関するものである。
【背景技術】
【０００２】
従来の保護シートは本願第４図に示すものが一般的である。当該保護シートは表面が塗装面８１で被服され、裏面に強度用にフレーム８２を付加された木材製の壁パネル８３は、たとえば運送時積層されるので、塗装面８１が他方のフレーム８２により摺傷を受ける。また工事途中でも摺傷を受ける。それを防止するため、いわゆる養生シートといわれる保護シート８４が粘着剤８５を介在して取り付けられる。工事完了後には保護シート８４は簡単に剥がされて塗装面８１の美観を回復する。同第４図に示すものは特開平５−３２１４８０で例示される。
【特許文献１】特開平５−３２１４８０号公報
【発明の開示】
【発明が解決しようとする課題】
【０００３】
上記特許文献１における保護シートは肉厚が均一であるためあまり厚手に形成することがコストの点よりできず、従って衝撃荷重に弱いという欠点と、現場での施工時に切断罫書き線を入れるのに面倒であるとの欠点があった。本発明は、かかる欠点を解消しようとした保護シートを提供することをその課題とする。
【課題を解決するための手段】
【０００４】
上記課題を解決するために、本発明に係る保護シートの特徴構成は、請求項１に記載した如く、パネル表面に着脱自在に取り付けられそのパネル表面を保護する保護シートにおいて、格子状の突条を一体的に設けた点にある。又、当該格子状の突条に寸法メモリを印字した保護シートである。
【発明の効果】
【０００５】
請求項１に記載の保護シートは、格子状の突条を有しているため全体を厚手に形成することなく衝撃荷重に強くなり、かつ、現場施工時に切断罫書き線を入れるのに格子を利用できるので作業性が向上するという効果がある。請求項２記載の保護シートは当該格子状の突条に寸法メモリを印字しているから、該保護シートを着脱自在に貼着したパネルを寸法精度よく効率的に切断できる。
【発明を実施するための最良の形態】
【０００６】
以下、本発明の実施形態について図面を参照して、詳細に説明する。図１は保護シート及びその使用状態を示す一部省略の斜視図、図２はその部分断面図、図３はその全体平面図である。
【０００７】
上記図に示されているように、保護シート１は表面側が格子状の肉厚部からなる突条２を有しその裏面側は平面３を有するもので、たとえばポリエチレンで形成され工場内で製造される。当該格子の一辺はたとえば３〜１０センチに形成され後述する切断加工時の罫書き線の援助となる寸法を有する。なお図示しないが各格子状の突条には寸法位置を表示する寸法メモリが印字されているほうが好ましい。４は表面に塗装面５が塗布された木製で壁用のパネルであり、定寸で工場加工される。そしてその塗装面５の上に接着力が弱く剥がしやすい粘着剤６が塗布され、その上に同一寸法の上記保護シート１の平面３が接着されて工場出荷される。
【０００８】
そして、工事現場では、パネル４は保護シート１を付加した状態でいわゆる現場あわせで切断加工される。このとき、格子状の突条２を利用し切断用の罫書き線を描く。すなわち図３に示すようにＸ点を縦Ａ寸法横Ｂ寸法で罫書き、次にＹ点を、縦Ａ寸法を測らず格子状の突条２を利用し横Ｃ寸法を加算して罫書く。そして点Ｘ点Ｙを一片とする角板を切断する。又、上記格子状の突条２に印字した寸法メモリを活用することにより目分量で寸法を測ることができる。
【図面の簡単な説明】
【０００９】
【図１】本発明にかかる保護シート及びその使用状態を示す一部省略の斜視図である。
【図２】図１に示す保護シートの部分断面図である。
【図３】図１に示す保護シートの全体平面図である。
【図４】本発明にかかる従来例である保護シート及びその使用状態をしめす側面図である。
【符号の説明】
【００１０】
１        保護シート
２        格子状の突条
３        平面
４        パネル
５        塗装面
６        粘着剤
【図１】
2006249844.tif 000003
【図２】
2006249844.tif 000004
【図３】
2006249844.tif 000005
【図４】
2006249844.tif 000006
(57)【要約】      （修正有）【課題】  はしごや脚立の枠に上下にしゅう動を可能で保管や運搬時はその枠に固定収納でき、使用する時は側方に開き接地して固定し、不転倒範囲を広めることのできる安全装置を提供する。【解決手段】    支え受け装置５は支え３を軸着し枠１の面を上下にしゅう動する。はしごや脚立の保管や運搬時は、支え受け装置５を上方に上げる、同時に支え３の内に補助支え４が入り乍らその下部は枠１の側方につぼまり、その上限で支え受け装置５を枠１に固定して利便性を良くした。。  はしごや脚立の使用時は支え受け装置５を弛め下方に下げる、同時に軸止した支え３の下部は側方に開き接地する、その間に補助支え４は支え３より出て枠１との間を保持する、支え受け装置５を枠１に固定する。【選択図】    図１
2006249890.tif 000002
【特許請求の範囲】
【請求項１】
はしごや脚立の枠１に取り付け固定して、その側方に転倒を防ぐ支え３。
【請求項２】
支え３を取り付け枠１にしゅう動や固定をする支え受け装置５。
【発明の詳細な説明】
【技術分野】
【０００１】  はしごや脚立が側方に転倒するのを防ぐ安全装置に関するものである。
【背景技術】
【０００２】  従来はしごや脚立は左右枠間の数倍もの高さがある、使用するのはその上部の高所での作業などで危険箇所であるにも拘らず、何等転倒防止などの装置が無く作業が進められていた。
【発明の開示】
【発明が解決しようとする課題】
【０００３】  はしごや脚立は限られた幅を有し、使用に際しては高所作業などが目的の用具であるが下記不具合があった。
１−１）  はしごの上部は壁面・桟または樹木の枝等でその安定は、それら対物次第であった。
１−２）  はしごや脚立自体には転倒を防止する装置は無く、只安全に気配りをする様作業者個人に求められていた。
２−１）  脚立はその上に立って作業をするもので、その不安定は作業者を脅かすばかりでなく転倒の危険が潜在していた。
【課題を解決するための手段】
【０００４】  はしごや脚立の下部に支えを装着した支え受け装置を、下記の様に取り付け取り扱うようにした。
１）  左右の枠に支え受け装置を取り付けて保管や運搬の便が良いようにした。
２）  必要時には支え受け装置を弛め、しゅう動しながら下に降ろし、同時に側方に開く支えの接地後、支え受け装置を固定する。
【発明の効果】
【０００５】  はしごや脚立に支えをとりつけているので、下記効果が期待できる。
１）  支えははしごや脚立に取り付け収納しているので、置き忘れや取り付けの煩わしいことも無く、確実に運搬・保管の管理ができる。
２）  重心が枠左右の両側面の外になっても、支えが重心を受け、不転倒範囲がひろくなる。
【発明を実施するための最良の形態】
【０００６】  最良の形態を実施例にもとずき図面を参照にして説明する。
【実施例１】
【０００７】  図１正面図左の支え３は枠１に抱持した支え受け装置５を弛め上にしゅう動し乍ら引上げる、この時同時に補助支え４は枠のほうにすぼむ支え３の内に入る、支え受け装置５を締めて枠１に固定収納する。
【実施例２】
【０００８】  図１はしごや脚立を使用する時は右側枠１の様に支え受け装置５を弛め下に降ろす、同時に支え３は側方に広がり接地（床）する、支え受け装置５を収納時同様締めて枠１と固定する。
【実施例３】
【０００９】  図２支え受け装置５の支え受けａ５−１は保持板７を介して枠１に抱持する、保持板７の外側の把手６は内側の偏心輪６−１と軸止している、把手６を枠１の方に回すと、枠１と偏心輪６−１の外周面と軸との距離が大になり、枠１に支え受け装置５は固定される。支え３に下から押す力が加わっても、偏心輪６−１と枠１との摩擦抵抗でその外周面径が大の方に作用するので強くなっても弛む事はなく、ばね１１の弱い力もその動きを確実なものにしている。
【実施例４】
【００１０】  補助支え４は図３に示す様に外管の内に内管（棒）が摺動して長さ調整して止めねじ１０で止める、収納時は支え３と共に上りその内側に入る。使用時には必要に応じ図１右側面図の様に後方への接地（床）が可能である。
【実施例５】
【００１１】  図４は支え受け装置５の要部図２の支え受けａ５−１と支え受けｂ５−２を取り替えた物で、下部に突起を設け軸穴をＡ部の様に逆球面として、二股との間隔を開けて、支え３を後方寄りに接地出来る様にした
【産業上利用の可能性】
【００１２】  はしごや脚立に考案の支えを装着して安全作業の用品として下記要望を満たす。
１）  支え３は支え受け装置５に固着し、はしごや脚立の枠１に固定すれば、一体構造となるので、置き忘れや分散する事はない。
２）  構造と操作が簡単で軽量であるため、手軽に使用できる。
３）  従来より不転倒範囲が広く、ある程度地形に対応する。
４）  外観上でも、はしごや脚立の左右枠間より支えの接地点（裾野）が広いため、安定して見え、作業者及び作業管理者の必需品である。
上記の如く危険要素と不安感を補って、安心安全作業に貢献するもので、工事の作業や家庭にも利用の可能性が多い。
【図面の簡単な説明】
【００１３】
【図１】正面図は、はしごを建築物に立て掛けた実施例正面図で左の枠１には支え３を取り付け収納した状態。右の枠１には支え３の使用状態を示す。右の側面図は支え３が少しだが後方に接地出来る事を示す。
【図２】図１の断面ＡＡの平面図、主として支え受け装置５に支え３の取り付けと、偏心輪６−１作用を示す正面図と右側面図（支え３の一部断面）。
【図３】二股を介して枠１と軸止（図４Ａ部と同じ形状）の図１断面ＢＢとＣＣ部
【図４】図２の支え受けａ５−１を、支え受けｂ５−２に変更した正面図と、右側面図及び一部断面図。
【符号の説明】
【００１４】１、    枠
２、    足掛け、
３、    支え、
４、    補助支え、
５      支え受け装置
５−１、支え受けａ、
５−２、支え受けｂ、
６、    把手、
７、    保持板、
８、    縦軸、
９、    横軸、
１０、  止めねじ、
１１、  ばね、
【図１】
2006249890.tif 000003
【図２】
2006249890.tif 000004
【図３】
2006249890.tif 000005
【図４】
2006249890.tif 000006
(57)【要約】      （修正有）【課題】従来の軟弱地盤の基礎は面積を大きく平面状（ベタ基礎）のため沈下速度及び傾斜を遅くするに過ぎず止める事は出来ない。【解決手段】本発明は軟弱地盤に建造物を作るにあたり基礎形状の考案により沈下及び傾斜を防ぐ多角錐及び円錐として内部を空洞とする。【効果】この様な形状にすれば、材料の節約と空洞化による軽量化と浮力を発生させ、液状化にも対応できる。【選択図】図２
2006249896.tif 000002
【特許請求の範囲】
【請求項１】
構造物の傾斜を防ぐため、多角錐、円錐状とした基礎形状
【請求項２】
基礎の重量を軽量化のため内部を空洞として沈下を防ぐ形状基礎
【発明の詳細な説明】
【発明の詳細な説明】
【技術分野】
【０００１】本発明は、軟弱地盤に建造物を造る時傾斜を避ける事が出来ないため、円錐形又は多角錐形状の基礎を作り傾斜角により発生する基礎の重力方向の面積変化による抗力が変化することを利用して建造物の傾斜を自動的に復原させる。
【背景技術】
【０００２】従来の軟弱地盤の基礎は面積を大きく平面状（ベタ基礎）のため沈下速度及び傾斜を遅くするに過ぎず止める事は出来ない。
【発明を実施するための最良の形態】
【０００３】本発明は軟弱地盤に建造物を作るにあたり基礎形状の考案により沈下及び傾斜を防ぐ多角錐及び円錐として内部を空洞とする。
【発明の効果】
【０００４】この様な形状にすれば、材料の節約と空洞化による軽量化と浮力を発生させ、液状化にも対応できる。
2006249896.tif 000003
2006249896.tif 000004
2006249896.tif 000005
2006249896.tif 000006
【手続補正書】
【提出日】平成17年6月20日(2005.6.20)
【手続補正２】
【補正対象書類名】明細書
【補正対象項目名】全文
【補正方法】変更
【補正の内容】
【発明の詳細な説明】
【技術分野】
【０００１】
【技術分野】本発明は、軟弱地盤に建造物を造る時傾斜を避ける事が出来ないため、円錐形状又は多角錐形状の基礎を作り傾斜角により発生する基礎の重力方向の面積変化による抗力が変化することを利用して建造物の傾斜を自動的に復原させる。【０００２】
【背景技術】従来の軟弱地盤の基礎は面積を大きく平面状（ベタ基礎）のため沈下速度及び傾斜を遅くするに過ぎず止める事は出来ない。【０００３】
【発明を実施するための最良の形態】本発明は軟弱地盤に建造物を作るにあたり基礎形状の考案により沈下及び傾斜を防ぐ多角錐及び円錐として内部を空洞とする。正常時に基礎底面の重力方向の底面長はＧ＝Ｈであり基礎底面Ｅ、基礎底面Ｆに働く抗力は等しいが傾斜時では基礎底面の重力方向の底面長が変化しＩ＞Ｊとなり、基礎底面Ｅに働く抗力Ｒａ，基礎底面Ｆに働く抗力ＲｂはＲａ＞Ｒｂとなり復原トルクが発生し傾斜を復原する。【０００４】
【発明の効果】
この様な形状にすれば、材料の節約と空洞化による軽量化と浮力を発生させ、液状化にも対応できる。
【０００５】
【図面の簡単な説明】
【図１】        建造物が四角形状、基礎が四角錐形状の平面図
【図２】        図１の▲１▼における断面図
【図３】        建造物が円柱形状、基礎が円錐形状の平面図
【図４】        図３の▲２▼における断面図
【図５】        正常時の▲１▼及び▲２▼における断面図
【図６】        傾斜時の▲１▼及び▲２▼における断面図
【符号の説明】
Ａ    四角形状建造物
Ｂ    四角錐形状基礎
▲１▼  断面線（建造物が四角形状、基礎が四角錐形状）
Ｃ    円柱形状建造物
Ｄ    円錐形状基礎
▲２▼  断面線（建造物が円柱形状、基礎が円錐形状）
Ｅ    四角錐形状基礎及び円柱形状基礎の底面長
Ｆ    四角錐形状基礎及び円柱形状基礎の底面長
Ｇ    正常時の重力方向の四角錐形状基礎及び円柱形状基礎の底面長
Ｈ    正常時の重力方向の四角錐形状基礎及び円柱形状基礎の底面長
Ｉ    傾斜時の重力方向の四角錐形状基礎及び円柱形状基礎の底面長
Ｊ    傾斜時の重力方向の四角錐形状基礎及び円柱形状基礎の底面長
ＧＬ    地上線
Ｒａ    傾斜時に沈下した側の基礎底面に作用する抗力
Ｒｂ    傾斜時に上昇する側の基礎底面に作用する抗力
▲３▼  鉛直線
【手続補正３】
【補正対象書類名】図面
【補正対象項目名】全図
【補正方法】追加
【補正の内容】
【図１】
2006249896.tif 000007
【図２】
2006249896.tif 000008
【図３】
2006249896.tif 000009
【図４】
2006249896.tif 000010
【図５】
2006249896.tif 000011
【図６】
2006249896.tif 000012
(57)【要約】      （修正有）【課題】高齢化や一人暮らし、共働きの家庭が多くなり、雪国の除雪がますます困難な社会になってきている。除雪の苦労を解消するため、歩道に地下水を流す方法が行われているところもあるが、装置が大掛かりでコストがかかるうえ、気温が氷点下のときには、流れ出た水が結氷してスケート場のような有様になり、転んで怪我を誘発する危険性がある。本発明は以上の問題点を解決しようとするものである。【解決手段】地下水を流すためのホース２の先端に連結する装置として、歩道の形状に合わせて枠１を設け、内部に長いホース２をらせん状に組み込んで放熱面積を広くし、ホース２からの放射熱を蓄熱するために砂（同等のもの）７を入れて空間を埋める。その砂７の熱を伝え、さらに蓄熱効果を高めるために仕上げ材（コンクリート材同等のもの）５を砂７の上に敷きこんで、その仕上げ材５から放熱した熱で降雪した雪を融かす融雪歩道パネルセットに構成する。【選択図】図１
2006249895.tif 000002
【特許請求の範囲】
【請求項１】
地下水を流すためのホースの先端に連結する装置として、歩道の形状に合わせて枠を設け、内部に長いホースをらせん状に組み込んで放熱面積を広くし、ホースからの放射熱を蓄熱するために砂（同等のもの）を入れて空間を埋める。その砂の熱を伝え、さらに蓄熱効果を高めるために仕上げ材（コンクリート材同等のもの）を砂の上に敷きこんで、その仕上げ材から放熱した熱で降雪した雪を融かす融雪歩道パネルセット。
【発明の詳細な説明】
【技術分野】
【０００１】  本発明は、雪国での除雪の困難な状態を低コストで簡便に解消するために、地下水の熱源を蓄熱して効率を高めながら融雪する移動組み立て式融雪装置に関するものである。熱源は、液状であればどのようなものでも対応できる。
【背景技術】
【０００２】  高齢化や一人暮らし、共働きの家庭が多くなり、雪国の除雪がますます困難な社会になってきている。
【発明の開示】
【発明が解決しようとする課題】
【０００３】そのために、次のような問題点があった。
除雪を怠ると積雪量が増えて除雪にかかる労力と時間がさらに増加するうえ、通行はしなければならないので雪が踏み固められ圧雪状態からアイスバーン（氷状）になる。しかも氷状になると滑る危険性が増し、硬化するので除雪もさらに重労働化、長時間化し、高齢者にはますます除雪を困難なものになるため、除雪を他人に依頼しなければならない状態にもなる。共働き家庭の場合は、除雪が出来ない昼間のうちに積雪量が増す日も多く、早朝や帰宅時の除雪作業は労働前後の辛い肉体労働が課されることにもなる。
また、このような除雪の苦労を解消するものとして、歩道に地下水を流す方法が行われているところもあるが、装置が大掛かりでコストがかかるうえ、気温が氷点下に下がったときに、流れ出た水が結氷してスケート場のような有様になり転んで怪我を誘発したり、路傍にありがちの側溝に落下して命を落としたりする危険性がある。
本発明は以上の問題点を解決しようとするものである。
【課題を解決するための手段】
【０００４】  地下水を流すためのホースの先端に連結する装置として、歩道の形状に合わせて枠を設け、内部に長いホースをらせん状に組み込んで放熱面積を広くし、ホースからの放射熱を蓄熱するために砂（同等のもの）を入れて空間を埋める。その砂の熱を伝え、さらに蓄熱効果を高めるために仕上げ材（コンクリート材同等のもの）を砂の上に敷きこんで、その仕上げ材から放熱した熱で降雪した雪を融かすものである。
【発明の効果】
【０００５】  冬季の寒中でもプラス１０℃〜１５℃もある地下水をホースに流し込むと、仕上げ材の上部の状態は、降雪時には雪が解けて濡れている程度であり、気温が氷点下になっても結氷しないので安心である。降雪が止めば融けた水が蒸発して乾燥しているような状態になる。
地下水のランニングコストは安価であるために管理に神経を使わなくてもよい。地下水のないところでは家庭で使っている風呂のボイラーを低温（約１０℃〜１５℃）に設定して使うことも可能である。
敷地の形状や広さが様々な家庭の状況に合わせて設置可能な組立式であり、同じものを連結させれば増設も簡単にできる。しかも、冬期以外には取り外し収納が簡単なところを特徴とした融雪歩道パネルセットである。
【発明を実施するための最良の形態】
【０００６】    以下、本発明の実施の形態を説明する。
（イ）  ▲１▼融雪したい箇所の形状と、仕上げ材の寸法とに合わせて枠を設ける。
（ロ）  ▲５▼仕上げ材を▲６▼支える部材を設ける。
（ハ）  ▲３▼流入口からホースを出し、熱源に取り付ける。▲４▼排水口（パネルセットを連結した時は連結口）からホースを出すもの
（ニ）  ▲２▼枠内部にホースを配置し▲７▼砂（同等のもの）を敷き詰めて空間を埋める。
本発明は、以上の構成よりなっている。
【図面の簡単な説明】
【０００７】
【図１】  本発明の斜視図
【図２】  本発明の分解斜視図
【図３】  本発明の使用状態を示す斜視図
【符号の説明】
【０００８】  １  枠
２  ホース
３  流入口
４  排水口
５  仕上げ材（コンクリート材同等のもの）
６  支え部材
７  砂（同等もの）
【図１】
2006249895.tif 000003
【図２】
2006249895.tif 000004
【図３】
2006249895.tif 000005
(57)【要約】      （修正有）【課題】掘削深が深くなっても、容易に掘削することが出来る道具を提供する。【解決手段】柄を１本にし、その上部に上下レバー１とハンドル８を設けた。柄１０を持ちスコップの先端Ａを掘削したい所に突刺す。次にハンドル１を持って前後に回転した後上下レバー１を持ち上げ支点３〜６介し両刃スコップ４・５で土をはさみそのまま本体を穴から取出し土を排出する。こうした構造にしたことによって様々な業種（土木工事・水道工事・ガス工事・電気工事・造園工事・農作業）にも対応することができる。【選択図】図１
2006249891.tif 000002
【特許請求の範囲】
【請求項１】
柄を１本にし，狭い掘削場所でも施工できることを特徴とする手動穴掘り機である。
【請求項２】
柄を１本にして、柄の上部に上下レバーを設けその上下レバーを動かすことによって両刃スコップが可動することを特徴とする請求項１記載の手動穴掘り機である。
【発明の詳細な説明】
【技術分野】
【技術分野】
【０００１】  本発明は、柄を１本にして深い穴でも容易に掘削できる道具に関する。
【背景技術】
【０００２】  従来のポール等などの穴を掘削する道具は図３に示すように、柄１と両刃スコップ２からなり、柄１を両手で持ち両刃スコップ２の先端Ａを掘削したい地面に突刺す。柄１を水平方向に回し柄１を外側に広げ両刃スコップ２をはさみこんで土を排出する道具である。
【発明の開示】
【発明が解決しようとする課題】
【０００３】  しかしながら、以上の従来技術によれば掘削深が深くなるにつれて、柄１が十分に外に開くことが出来ず、両刃スコップ２が閉じることが出来ない為、土を排出する事が困難であった。  そこで、この発明は、掘削深が深くなっても、容易に掘削することが出来る道具を提供することを課題とする。
【課題を解決するための手段】
【０００４】  以上の課題を解決するために、第１発明は、柄を１本にし、狭い掘削場所でも施工することができることを特徴とする手動穴掘り機である。  また、第２発明は、柄を１本にし、柄の上部に上下レバーを設け上下レバーを動かすことによって両刃スコップが可動することを特徴とする手動穴掘り機である。
【発明の効果】
【０００５】  第１発明、第２発明によれば、柄を１本にして柄の上部の上下レバーを動かすことで掘削できるので狭い掘削場所でも施工できる。
【発明を実施するための最良の形態】
【０００６】以下、本発明の実施形態を図−１・２に基づいて説明する。【０００７】  小スペース掘削機の本体はスチール製であり、上下レバー１とハンドル８は滑り防止の為にゴム製のグリップを設けてある。この道具の使い方は、柄の部分８を持ち掘削したい場所にスコップの先端Ａを突刺し、ハンドル８を持ちレバー１前後回転して掘削したい部分と在来土との縁を切って土を排出しやすいようにする。次に上下レバー１を持ち上げ、支点２・３を介し柄１０の内部の連結棒９に力が伝わり支点６が上部に引き上げられ溶接してある両刃スコップ５が閉じ排出したい土をはさむ。土をはさんだ状態で本体を掘削した穴から取出し土を排出する。【０００８】「実施形態の効果」  この実施形態によれば、柄１０を１本にし上下レバー１を作動することで深い穴でも上部の土が落ちることなく掘れる。したがって、時間と労力を短縮できる。【０００９】「他の実施携帯」  図−１・２の実施形態では、柄１０を１本にし上下レバー１を作動して土を排出する構造であったが、他の実施形態では、図−３の柄１部分の途中に支点を設けて、柄を閉じると土をはさむような構造でも良い。
【図面の簡単な説明】
【００１０】
【図１】この発明の一実施形態を示す平面図である。
【図２】この発明の一実施形態を示す斜視図である。
【図３】従来技術を示す平面図である。
【符号の説明】
【００１１】図−１・２  １  上下レバー      ２  支点          ３  支点          ４  スコップ  ５  スコップ        ６  支点          ７  支点          ８  柄  ９  ロット          １０  柄
【図１】
2006249891.tif 000003
【図２】
2006249891.tif 000004
【図３】
2006249891.tif 000005
(57)【要約】      （修正有）【課題】本発明のフレキシブルアンカーを基礎に埋設するとアンカーボルトを基楚の所定位置に正確に据付ける事が出来るしボルトを垂直に据付けれる、また定着盤を使用するので基礎高さが低い基礎にも使用出来る。【解決手段】丸鋼の上下部に雄螺子を設けたボルトの下部の雄螺子部にナットと長ナットで定着盤を固定し長ナットの先にフレキシブル材を設けたフレキシブルアンカー。１は、丸鋼、２は、雄螺子、３は、ナット、３ａは、長ナット、４は、定着盤、５は、フレキシブル材、６は、捨てコン（均しコンクリート）、７は、穴である。【選択図】図３
2006249894.tif 000002
【特許請求の範囲】
【請求項１】
丸鋼の上下部に雄螺子を設けたボルトの下部の雄螺子部にナットと長ナットとで定着盤を固定し長ナットの先にフレキシブル材を固定したアンカーボルト
【発明の詳細な説明】
【技術分野】
【０００１】本発明は建築の基礎に埋設するアンカーボルトに関するものである
【背景技術】
【０００２】小規模建築物のアンカーボルト埋設には、住宅等の基礎工事では田植と称してコンクリートを打設してコンクリートが固まる前にアンカーボルトを埋設する方法、及び設計図に基づきアンカーボルトの上部を型枠に固定する方法や鉄骨構造等の基礎ではアンカーボルトを捨てコン上のアンカーフレームで固定してコンクリートを打設する方法が主流である。
【発明の開示】
【発明が解決しようとする課題】
【０００３】本発明は建築の基礎に埋設するアンカーボルトに関するものである
このアンカーボルトは基楚の所定位置に正確にアンカーボルトを据付ける事が出来る従来の小規模建築物のアンカーボルトと施工方法等には
アンカーボルトの種類には
１．丸鋼の上部に雄螺子を下部はＵ字やＬ字型に加工したアンカーボルト
２．丸鋼の上部に雄螺子を下部には丸座金を溶接したアンカーボルト等があるが引張応力が大きい時には付着力を等増す為に基礎高を増やさなければならない。
アンカーボルト施工方法
１・田植施工方法はコンクリートを打設してコンクリートが固まる前に設計図に基づきアンカーボルトを埋設する方法で技術者の感で施工するので位置は正確に収まっていないし傾きもボルトの垂直制度もなかなかうまく納まらない。
２．配筋及び型枠工事後にアンカーボルト据付工事を行うのでアンカーボルト位置に配筋が干渉していて定位置にセット出来ない事が多い。
３．設計図に基づきアンカーボルトの上部を型枠に固定する方法はボルトを型枠に固定しているのでコンクリート打設時に型枠のズレ等で位置が狂うし垂直制度もコンクリート打設時にボルトの下部がコンクリートに流され傾いてしまう。
４．アンカーフレームで固定する方法はボルトの上下部をアングル等で固定する方法でフレームの鋼材が要るし現場施工にも鉄工等の優れた技術者がいるし工期も掛かる。
アンカーの手直し
１．コンクリート打設後アンカーボルトの芯ズレ等が生じると基礎を斫リ手直し工事が生じ基礎の強度が低下するし経費と工期の負担が生じる
２．小規模のミスでも基礎の一部を斫リアンカーボルトを焼いて修正する手直し工事が生じるのでアンカーボルトの強度が低下するし経費と工期の負担が生じる。
【課題を解決する為の手段】
【０００４】本発明は、丸鋼の上下部に雄螺子を加工したボルトの下部の雄螺子部にナットと長ナットで定着盤を固定し長ナットの先にフレキシブル材を設けたアンカーボルト
【発明の効果】
【０００５】このアンカーボルトは基楚の所定位置に垂直に正確にアンカーボルトを据付ける事が出来る
本発明のフレキシブルアンカーボルトのフレキシブル部先端を捨てコンに前もって明けておいた穴に挿入して緊結の後、配筋及び型枠工事後コンクリートを打設してコンクリートの固まり具合を見計らいボルトを垂直に手直しする事が出来るので、定位置に垂直にアンカーボルトをセット出来るし下記の様な利点がある。
１．配筋前にアンカーボルトを定位置にセット出来るので配筋との干渉を避けれ配筋の為にアンカー位置がずれる事がない。
２．アンカーボルトのフレキシブル部先端を捨てコンの穴に緊結するとコンクリート打設時にアンカーボルトの下部の位置ズレがない。
３．アンカーボルトの引張応力に応じて定着盤の大きさを取りかえる事が出来るので基礎高さが低い基礎でも埋設出来る。
４．アンカーフレーム工法の様に上下部をアングル等で固定しなくて良いのでフレーム等の鋼材が要らないし現場施工時に鉄骨工等の優れた技術者が不用で工期も短縮される。
【発明を実施するための最良の形態】
【０００６】丸鋼の上下部に雄螺子を設けたボルトの下部の雄螺子部にナットと長ナットとで定着盤を固定し長ナットの先にフレキシブル材を設けたアンカーボルト
【実施例１】本発明の丸鋼の上下部に雄螺子を加工したボルトの下部の雄螺子部にナットと長ナットとで定着盤を固定し長ナットの先にフレキシブル材を設けたフレキシブルアンカーボルトの側面図。（図１参照）
【実施例２】本発明の丸鋼の上下部に雄螺子を加工したボルトの下部の雄螺子部にナットと長ナッットとで定着盤を固定し長ナットの先にフレキシブル材を設けたフレキシブルアンカーボルトの水平断面図（図２参照）
【実施例３】丸鋼の上下部に雄螺子を加工したボルトの下部の雄螺子部にナットと長ナッットとで定着盤を固定し長ナットの先にフレキシブル部を設けたアンカーボルトを捨てコンクリートの穴に挿入して緊結した本発明フレキシブルアンカーボルトの実施例の側面図。（図３参照）
【産業上の利用可能性】
【０００７】最近の住宅産業界の管理者は１人で４〜５ヶ所の現場を管理している状態で墨出しも基礎請負業社任せでコスの合理化を理由に材料等を削減され基礎請負業社の数が減り生き残っている基礎請負業者も人件費だけで成り立って要る状態で人件費に経費を掛けられないのでアンカーボルト据付工事がなおざりになっている現状であるが、本発明のフレキシブルアンカーボルトを基礎工事に使用すると下記の利点がある
１．基礎にアンカーボルトの位置ズレが無く垂直に据付けれる。
２．フレキシブル材が３６０度方向自由に傾斜出来るので配筋と干渉しないし施工性も良い。
３．アンカーフレーム等の大掛りな仮設材が要らない。
４．定着盤を使用するので付着力に左右されず基礎高さが低い基礎にも使用出来る。
５．手直し工事が無いので手直し費用と工期短縮になる。
６．フレキシブルアンカーボルトのフレキシブル材には、バネ、プラスチック、ゴム、軽金属等が使用可能
【図面の簡単な説明】
【０００８】
【図１】本発明のフレキシブルアンカーボルトの構成側面図（実施例１）
【図２】本発明のフレキシブルアンカーボルトの水平断面図（実施例２）
【図３】本発明のフレキシブルアンカーボルトを捨てコンに緊結した側面図（実施例３）
【図４】実施例３の本発明のフレキシブルアンカーボルトを斜めに傾けた側面図
【符号の説明】
【０００９】１．丸鋼
２．雄螺子
３．ナット
３ａ長ナット
４．定着盤
５．フレキシブル材
６．捨てコン（均しコンクリート）
７．穴
【図１】
2006249894.tif 000003
【図２】
2006249894.tif 000004
【図３】
2006249894.tif 000005
【図４】
2006249894.tif 000006
(57)【要約】【課題】      解決しようとする問題点は、建築物としての耐用年数は残しながらホテルとしては利用価値がなくなり、費用面から改造も解体もできずに放置されている廃ホテルを有効利用することと、数千基単位の納骨が可能な納骨堂を得ることが発明が解決しようとする課題である。【解決手段】  建築物としての耐用年数は残しながらホテルとしては利用価値がなくなり、費用面から改造も解体もできずに放置されている廃ホテルを納骨堂として有効利用することを課題を解決するための手段としている。【特許請求の範囲】
【請求項１】
建造物としては充分な耐用年数を有しながら、ホテルとしては利用価値のなくなった廃ホテルを宗教法人の所有とし、旧ロビーには祭壇を配設すると共に、各部屋には集合型納骨ロッカーを配設し、当該廃ホテルを納骨堂として利用すべくなし、納骨をした遺族から所定の管理費を徴収すべくなしたる廃ホテル利用の納骨堂。
【請求項２】
廃ホテルを納骨堂として利用すると共に、インターネット上で必要とする納骨ロッカーを検索して閲覧し、礼拝し得るようになしたる廃ホテル利用の納骨堂。
【発明の詳細な説明】
【技術分野】
【０００１】  本発明は、納骨堂に関するものであり、詳しくは、耐用年数を残しながら、ホテルとしては改造を要し、当該改造に高費用を必要とされ、解体するにも高額の費用が必要とされることから、そのまま放置されているホテルを集合型納骨堂とすることにある。
【背景技術】
【０００２】  現在、国内には建築物としての耐用年数は残しながら、ホテルとしては、改造しなければ利用価値がなくなり、しかし改造するにも高額の費用がかかり、また解体するにも高額の費用を要することから、そのまま放置されているホテルが数多く見受けられる。【０００３】  一方、やはり全国的に墓の数は不足しており、しかも墓は高価であることから、近年、一部の寺等において集合型のロッカー式納骨室が利用されている。しかし、この種の納骨ロッカーにしても、一寺で配設できる数には限度があり、せいぜい納骨し得る数は百基以内というのが現状である。
【発明の開示】
【発明が解決しようとする課題】
【０００４】  解決しようとする問題点は、建築物としての耐用年数は残しながらホテルとしては利用価値がなくなり、費用面から改造も解体もできずに放置されている廃ホテルを有効利用することと、数千基単位の納骨が可能な納骨堂を得ることが発明が解決しようとする課題である。
【課題を解決するための手段】
【０００５】  建築物としての耐用年数は残しながらホテルとしては利用価値がなくなり、費用面から改造も解体もできずに放置されている廃ホテルを納骨堂として有効利用することを課題を解決するための手段としている。
【発明の効果】
【０００６】  本発明にかかる納骨堂は、建造物としては充分な耐用年数を有しながら、ホテルとしては利用価値のなくなった廃ホテルを宗教法人の所有とし、旧ロビーには祭壇を配設し、各部屋には集合型納骨ロッカーを配設し、当該廃ホテルを納骨堂として利用すべくなし、納骨をした遺族から所定の管理費を徴収すべくなしたる廃ホテル利用の納骨堂であり、更には、廃ホテルを納骨堂として利用すると共に、インターネット上で必要とする納骨ロッカーを検索して閲覧し、礼拝し得るようになしたる廃ホテル利用の納骨であるから、仮に５０人単位の客室能力のあるビジネスホテルクラスであっても、客室がシングルルームばかりだとしても５０室あり、通常の納骨ロッカーが４０ｃｍ角とすれば、窓を残して部屋の両側に納骨ロッカーを載置しても、一部屋に６０基以上の納骨ロッカーが載置でき、このクラスの廃ホテルにあっても３０００基の納骨ロッカーが配設できるものであり、納骨をする遺族にあっても、廃ホテルといえども寺等の宗教法人の霊園と同じであるから安心して納骨することができ、しかもインターネットで自分の先祖の納骨ロッカーを検索して閲覧できるから、いちいち現地にいかなくてもインターネットで閲覧して礼拝することができる等、極めて顕著なる種々の効果が得られるものである。
【発明を実施するための最良の形態】
【０００７】  本発明は、建造物としては充分な耐用年数を有しながら、ホテルとしては利用価値のなくなった廃ホテルを宗教法人の所有とし、旧ロビーには祭壇を配設し、各部屋には集合型納骨ロッカーを配設し、当該廃ホテルを納骨堂として利用すべくなし、納骨をした遺族から所定の管理費を徴収すべくなしたる廃ホテル利用の納骨堂であり、更には、廃ホテルを納骨堂として利用すると共に、インターネット上で必要とする納骨ロッカーを検索して閲覧し、礼拝し得るようになしたる廃ホテル利用の納骨堂を呈せんとするものである。
【実施例１】
【０００８】  廃ホテルを寺等、宗教法人に登記する。廃ホテルの旧ロビーには祭壇わ配設して寺としての機能を持たせ、旧客室には夫々収納型納骨ロッカーを配設する。５０室程度の廃ホテルであれば、一室に納骨ロッカーが約６０個配置することが可能であり、ホテル全体としては３０００個の納骨ロッカーを配設することができる。この際、窓側には納骨ロッカーは配置せず、自然光が納骨ロッカー部分に入るようにしている。【０００９】  納骨ロッカーを利用しようとする遺族は、当該納骨堂を所有する宗教法人に対し所定の管理費を支払い、宗教法人は当該管理費を用いて納骨ロッカーを管理する。【００１０】  宗教法人はインターネット上に当該納骨堂のホームページを作成し、利用者はインターネット上で必要とするのうこつロッカー検索し、閲覧して礼拝シエルに構成している。
【産業上の利用可能性】
【００１３】  本発明にかかる納骨堂は、建造物としては充分な耐用年数を有しながら、ホテルとしては利用価値のなくなった廃ホテルを宗教法人の所有とし、旧ロビーには祭壇を配設し、各部屋には集合型納骨ロッカーを配設し、当該廃ホテルを納骨堂として利用すべくなし、納骨をした遺族から所定の管理費を徴収すべくなしたる廃ホテル利用の納骨堂であり、更には、廃ホテルを納骨堂として利用すると共に、インターネット上で必要とする納骨ロッカーを検索して閲覧し、礼拝し得るようになしたる廃ホテル利用の納骨であるから、仮に５０人単位の客室能力のあるビジネスホテルクラスであっても、客室がシングルルームばかりだとしても５０室あり、通常の納骨ロッカーが４０ｃｍ角とすれば、窓を残して部屋の両側に納骨ロッカーを載置しても、一部屋に６０基以上の納骨ロッカーが載置でき、このクラスの廃ホテルにあっても３０００基の納骨ロッカーが配設できるものであり、納骨をする遺族にあっても、廃ホテルといえども寺等の宗教法人の霊園と同じであるから安心して納骨することができ、しかもインターネットで自分の先祖の納骨ロッカーを検索して閲覧できるから、いちいち現地にいかなくてもインターネットで閲覧して礼拝することができる。また、費用面から改造もできず解体することもできずに放置されている廃ホテルを有効利用することができ、絶対数が不足している墓の供給にも貢献しえる等、極めて顕著なる種々の効果が得られ産業上の利用効果はきわめて大なるものである。
(57)【要約】【課題】寒さや花粉予防のため顔にマスクを着用し同時にマフラーも着用する際、マスクをした顔からマフラーがずれ落ちないように安定し、またマスクの着用が目立たないようにできるのでファッションの幅も広げることができるマフラーを提供する。【解決手段】本発明はマフラー生地にそれぞれ縦紐の両端部を止着し、これらの縦紐のそれぞれ内側にマスクの両端部を挿通可能に形成したことを特徴とするマフラーであり、また、止着が着脱可能な止着であり、縦紐の両端部の代わりにループを止着したことを特徴とする上記記載のマフラーである。【選択図】  図１
2006249591.tif 000002
【特許請求の範囲】
【請求項１】
マフラー生地にそれぞれ縦紐の両端部を止着し、これらの縦紐のそれぞれ内側にマスクの両側部を挿通可能に形成したマフラー。
【請求項２】
止着が着脱することが可能な止着である請求項１記載のマフラー。
【請求項３】
縦紐の両端部に代わり、ループを止着した請求項１、２記載のマフラー。
【発明の詳細な説明】
【技術分野】
【０００１】
本発明は、マスクの着用に適したマフラーの構造に関するものである。
【背景技術】
【０００２】
従来、マスクをしてマフラーを着用するときにマフラーが下にずれ落ちて安定して耳を覆うことができず、またマスクが目立ち、病気のイメージが強く美観も良くない。
【発明の開示】
【発明が解決しようとする課題】
【０００３】
本発明は寒さや花粉症予防のために顔にマスクを着用し同時にマフラーも着用する際、顔からマフラーがずれ落ちないようにずれが防止されることにより安定してマフラーで耳を覆うことが可能となり、鼻や口はもちろんのこと耳の穴に花粉が入ることをも防ぐ。またマスクの着用がマフラーによって見えないのでファッションの幅も広げることを目的とする。
【課題を解決するための手段】
【０００４】
上記の目的を達成するために本発明は生地にそれぞれ縦紐の両端部を止着し、これらの縦紐のそれぞれ内側にマスクの両端部を挿通可能に形成したマフラーである。また、止着が着脱可能な止着であり、縦紐の両端部の代わりにループを止着した上記記載のマフラーによって構成される。
【発明の効果】
【０００５】
本発明は上述のように構成したのでマスク３をつけてマフラー１を巻く際にマフラー１の生地に止着されているそれぞれ縦紐２、２又はループ２’、２’にマスク３の両端部３’、３’とゴム部分５、５を挿通した後、通常通りマスク３をつけるようにマスク３のゴム部分５、５を両耳にかけ、耳を覆って首にマフラー１を巻くことにより、風に吹かれても頭や首を動かしてもマフラー１がずれ落ちるおそれがなく、顔に安定してマフラーが覆っているので寒さや花粉から鼻、口、耳の穴を含む顔を守り、またマスク３と共に着脱可能であり、かつマフラー１がマスク３を覆っていてマスク３のゴム部分５しか見えないのでファッションの幅も広がるなどの効果がある。
【発明を実施するための最良の形態】
【０００６】
以下、本発明の実施の形態について説明する。
（イ）本発明はマフラー１の顔にあたる面の生地にそれぞれ上下方向に帯状の縦紐２を配置し、両端部２”、２”を縫着によって止着４し、或いはループ２’の一端部を縫着し他端部をボタン、面ファスナーなどで着脱自在に止着４してもかまわない。
（ロ）上記縦紐２の両端部２”、２”間の幅は装着するマスク３の両側部３’、３’を挿通させ得る幅であり、各種マスクが挿通できる幅であれば良いが、その幅に限らなくても良い。
（ハ）上記の縦紐２が図３（１）（２）（３）図に示すようにループ２’であり、ループ２’の一部又は両端部を顔にあたる面の生地に止着４することができる。
本発明は以上の構成よりなる。
本発明を使用する場合は、まずマスク３の両端部３’、３’とゴム部分５、５をマフラー１の生地に止着されているそれぞれ縦紐２、２又はループ２’、２’に挿通する。そして通常通りマスク３をつけるようにマスク３のゴム部分５、５を両耳にかけ、マスク３を安定した位置につけてマフラー１を巻く。その使い方でもマスク３とマフラー１が一体化しているので位置ずれを起こしたりすることはなく快適に使用できるが、寒さが強い時や花粉をさらに防ぎたい時はマスク３を安定した位置につけた後マフラー１で耳を覆うように巻くと良い。また、マフラー１がマスク３と一体化していてマスク３を覆っているので何処から見てもマスク３が見えず、ゴム部分５がマフラー１の巻き方によって少し見えるくらいなので、従来の病的なイメージを払拭して女性はマスクを使用することができ、ファッションの幅も広がるなどの効果がある。
【図面の簡単な説明】
【０００７】
【図１】本発明の正面図である。
【図２】本発明を顔に装着した斜視図である。
【図３】（１）（２）（３）図は各種ループの平面図である。
【符号の説明】
【０００８】
１  マフラー
２  縦紐
２’ループ
２”両端部
３  マスク
３’両側部
４  止着部
５  マスクのゴム部分
【図１】
2006249591.tif 000003
【図２】
2006249591.tif 000004
【図３】
2006249591.tif 000005